(57)【要約】  移動局ＵＥは、無線基地局ｅＮＢによって送信された上り同期要求の受信に成功した場合、非同期ＲＡＣＨを用いて上り同期要求に含まれるＲＡＣＨ用のプリアンブルを無線基地局ｅＮＢに対して通知し、無線基地局ｅＮＢによって送信されたＴＡコマンドの受信に失敗した場合、プリアンブルを無線基地局ｅＮＢに対して通知し、プリアンブルの有効期間が経過した場合、プリアンブルを解放するように構成されている。
2008123155.tif 000002
【特許請求の範囲】
【請求項１】
間欠受信状態の移動局に対する下りユーザデータの送信を再開する送信再開方法であって、
無線基地局が、前記移動局に対して、前記移動局を識別するためのデータ系列を割り当てる工程と、
前記無線基地局が、前記移動局に対して割り当てた前記データ系列を指定する上り同期要求を送信する工程と、
前記移動局が、前記上り同期要求の受信に成功した場合、前記上り同期要求により指定されている前記データ系列を前記無線基地局に対して通知する工程と、
前記無線基地局が、前記移動局から前記データ系列を受信した場合、上りリンクにおける送信タイミングを調整するためのコマンドを生成して該移動局に対して送信する工程と、
前記無線基地局が、前記コマンドを送信してから一定期間経過後までに、前記移動局から前記データ系列を受信しなかった場合、該移動局に対して下りユーザデータの送信を再開する工程と、
前記無線基地局が、前記コマンドを送信してから一定期間経過前に、前記移動局から前記データ系列を受信した場合、前記コマンドを生成して該移動局に対して送信する工程と、
前記データ系列の有効期間が経過した場合、前記移動局及び前記無線基地局が、前記データ系列を解放する工程と、
前記データ系列を解放が解放された場合、前記無線基地局が、前記移動局に対して、新たなデータ系列を割り当てる工程とを有することを特徴とする送信再開方法。
【請求項２】
前記データ系列の有効期間が経過する前であっても、前記無線基地局において、所定回数、前記下りユーザデータに対するＨＡＲＱプロセスにおける送達確認情報が検出された場合、前記移動局及び前記無線基地局が、前記データ系列を解放することを特徴とする請求項１に記載の送信再開方法。
【請求項３】
前記無線基地局が、前記上り同期要求を送信する際に、前記移動局に対して、前記データ系列及び前記データ系列の有効期間を通知することを特徴とする請求項１に記載の送信再開方法。
【請求項４】
前記移動局が、ＲＲＣコネクションを設定する際に、前記無線基地局が、該移動局に対して、前記データ系列の有効期間を通知することを特徴とする請求項１に記載の送信再開方法。
【請求項５】
前記移動局が、ネットワークに対して登録処理を行う際に、前記無線基地局が、該移動局に対して、前記データ系列の有効期間を通知することを特徴とする請求項１に記載の送信再開方法。
【請求項６】
前記データ系列の有効期間は、前記コマンドを受信しなかった場合のデータ系列の最大再送回数によって規定されることを特徴とする請求項１に記載の送信再開方法。
【請求項７】
前記新たなデータ系列は、解放された前記データ系列と同じデータ系列であることを特徴とする請求項１に記載の送信再開方法。
【請求項８】
前記データ系列は、ランダムアクセスチャネル用のプリアンブルであり、
前記移動局は、前記上り同期要求の受信に成功した場合、ランダムアクセスチャネルを用いて、前記上り同期要求により指定されている前記プリアンブルを前記無線基地局に対して通知することを特徴とする請求項１に記載の送信再開方法。
【請求項９】
間欠受信状態において、下りユーザデータの連続受信を再開するように構成されている移動局であって、
無線基地局によって送信された上り同期要求の受信に成功した場合、該上り同期要求により指定されているデータ系列を該無線基地局に対して通知し、
前記無線基地局によって送信された上りリンクにおける送信タイミングを調整するためのコマンドの受信に失敗した場合、前記データ系列を該無線基地局に対して通知し、
前記データ系列の有効期間が経過した場合、前記データ系列を解放するように構成されていることを特徴とする移動局。
【請求項１０】
前記データ系列の有効期間が経過する前であっても、所定回数、前記下りユーザデータに対するＨＡＲＱプロセスにおける送達確認情報を送信された場合、前記データ系列を解放するように構成されていることを特徴とする請求項９に記載の移動局。
【請求項１１】
前記データ系列の有効期間が経過する前であっても、上りリンクにおける送信タイミングを調整するためのコマンドを受信した場合、前記プリアンブルを解放するように構成されていることを特徴とする請求項９に記載の移動局。
【請求項１２】
前記データ系列は、ランダムアクセスチャネル用のプリアンブルであり、
前記無線基地局によって送信された上り同期要求の受信に成功した場合、ランダムアクセスチャネルを用いて、該上り同期要求により指定されている前記プリアンブルを該無線基地局に対して通知するように構成されていることを特徴とする請求項９に記載の移動局。
【請求項１３】
間欠受信状態の移動局に対する下りユーザデータの送信を再開するように構成されている無線基地局であって、
前記移動局に対して、前記移動局を識別するためのデータ系列を割り当て、前記移動局に対して割り当てた前記データ系列を指定する上り同期要求を送信し、
前記移動局から前記データ系列を受信した場合、上りリンクにおける送信タイミングを調整するためのコマンドを生成して該移動局に対して送信し、
前記コマンドを送信してから一定期間経過後までに、前記移動局から前記データ系列を受信しなかった場合、該移動局に対して下りユーザデータの送信を再開し、
前記コマンドを送信してから一定期間経過前に、前記移動局から前記データ系列を受信した場合、前記コマンドを生成して該移動局に対して送信し、
前記データ系列の有効期間が経過した場合、前記データ系列を解放し、前記移動局に対して、新たなデータ系列を割り当てるように構成されていることを特徴とする無線基地局。
【請求項１４】
前記データ系列の有効期間が経過する前であっても、所定回数、前記下りユーザデータに対するＨＡＲＱプロセスにおける送達確認情報が検出された場合、前記データ系列を解放するように構成されていることを特徴とする請求項１３に記載の無線基地局。
【請求項１５】
前記新たなデータ系列は、解放された前記データ系列と同じデータ系列であることを特徴とする請求項１３に記載の無線基地局。
【請求項１６】
前記データ系列は、ランダムアクセスチャネル用のプリアンブルであることを特徴とする請求項１３に記載の無線基地局。
【発明の詳細な説明】
【技術分野】
【０００１】
本発明は、間欠受信状態の移動局に対する下りユーザデータの送信を再開する送信再開方法、移動局及び無線基地局に関する。
【背景技術】
【０００２】
近年、３ＧＰＰで標準化が進められている「ＬＴＥ（Ｌｏｎｇ  Ｔｅｒｍ  Ｅｖｏｌｕｔｉｏｎ）」等の無線アクセス方式では、移動局ＵＥにおけるバッテリの節約の観点から、下りデータに対して「間欠受信（Ｄｉｓｃｏｎｔｉｎｕｏｕｓ  Ｒｅｃｅｐｔｉｏｎ）」を行う技術が知られている。【０００３】
なお、かかる無線アクセス方式において、間欠受信状態である移動局ＵＥと無線基地局ｅＮＢとの間では、必ずしも上りリンクにおける同期を維持しておく必要が無い。【０００４】
したがって、かかる無線アクセス方式では、間欠受信状態である移動局ＵＥ宛ての下りユーザデータが発生した場合で、かつ、当該移動局と無線基地局ｅＮＢとの間で上りリンクにおける同期が維持されていない場合には、図１に示すように、無線基地局ｅＮＢと当該移動局ＵＥとの間で、上りリンクにおける同期を確立するように構成されている。【０００５】
具体的には、図１に示すように、ステップＳ１において、無線基地局ｅＮＢは、無線基地局ｅＮＢと移動局ＵＥとの間で上りリンクにおける同期を確立するために、移動局ＵＥに対して、「ＵＬ  ｓｙｎｃｈ  ｒｅｑｕｅｓｔ（上り同期要求）」を送信する。【０００６】
ステップＳ２において、移動局ＵＥは、非同期ＲＡＣＨ（ランダムアクセスチャネル）を用いて、上述の「ＵＬ  ｓｙｎｃｈ  ｒｅｑｕｅｓｔ」によって指定された個別プリアンブルを送信する。【０００７】
ここで、個別プリアンブルは、各移動局に対して個別に割り当てられたデータ系列を意味する。なお、「ＵＬ  ｓｙｎｃｈ  ｒｅｑｕｅｓｔ」は、個別プリアンブル自身を含むのではなく、かかる個別プリアンブルを識別する識別子を含む。【０００８】
ステップＳ３において、無線基地局ｅＮＢは、移動局ＵＥから送信された個別プリアンブルに応じて、移動局ＵＥの上りリンクにおける送信タイミングを調整するためのＴＡ（Ｔｉｍｉｎｇ  Ａｄｖａｎｃｅ）コマンドを生成して移動局ＵＥに対して送信する。【０００９】
その後、ステップＳ４において、無線基地局ｅＮＢは、ＤＬ-ＳＣＨ（共通下りデータチャネル：Ｄｏｗｎｌｉｎｋ-Ｓｈａｒｅｄ  Ｃｈａｎｎｅｌ）を用いて、上述の下りユーザデータを、移動局ＵＥに対して送信する。
【非特許文献１】３ＧＰＰ  ＴＳＧ  ＲＡＮ  ＷＧ２  ＃５７、Ｒ２-０７０７８１
【発明の開示】
【００１０】
しかしながら、従来の無線アクセス方式では、ＲＡＣＨ用の個別プリアンブルの数は有限であるため、かかる個別プリアンブルを解放しないままでいると、特定の移動局ＵＥに対してＲＡＣＨ用の個別プリアンブルを割り当てることができないという問題点があった。
【００１１】
そこで、本発明は、上述の課題に鑑みてなされたものであり、間欠受信状態の移動局に対する下りユーザデータの送信を再開手順において、ＲＡＣＨ用の個別プリアンブルの解放方法を規定することによって、移動局に割り当て可能な個別プリアンブルの枯渇を抑制することができる送信再開方法、移動局及び無線基地局を提供することを目的とする。
【００１２】
本発明の第１の特徴は、間欠受信状態の移動局に対する下りユーザデータの送信を再開する送信再開方法であって、無線基地局が、前記移動局に対して、前記移動局を識別するためのデータ系列を割り当てる工程と、前記無線基地局が、前記移動局に対して割り当てた前記データ系列を指定する上り同期要求を送信する工程と、前記移動局が、前記上り同期要求の受信に成功した場合、前記上り同期要求により指定されている前記データ系列を前記無線基地局に対して通知する工程と、前記無線基地局が、前記移動局から前記データ系列を受信した場合、上りリンクにおける送信タイミングを調整するためのコマンドを生成して該移動局に対して送信する工程と、前記無線基地局が、前記コマンドを送信してから一定期間経過後までに、前記移動局から前記データ系列を受信しなかった場合、該移動局に対して下りユーザデータの送信を再開する工程と、前記無線基地局が、前記コマンドを送信してから一定期間経過前に、前記移動局から前記データ系列を受信した場合、前記コマンドを生成して該移動局に対して送信する工程と、前記データ系列の有効期間が経過した場合、前記移動局及び前記無線基地局が、前記データ系列を解放する工程と、前記データ系列を解放が解放された場合、前記無線基地局が、前記移動局に対して、新たなデータ系列を割り当てる工程とを有することを要旨とする。
【００１３】
本発明の第１の特徴において、前記データ系列の有効期間が経過する前であっても、前記無線基地局において、所定回数、前記下りユーザデータに対するＨＡＲＱプロセスにおける送達確認情報が検出された場合、前記移動局及び前記無線基地局が、前記データ系列を解放してもよい。
【００１４】
本発明の第１の特徴において、前記無線基地局が、前記上り同期要求を送信する際に、前記移動局に対して、前記データ系列及び前記データ系列の有効期間を通知してもよい。
【００１５】
本発明の第１の特徴において、前記移動局が、ＲＲＣコネクションを設定する際に、前記無線基地局が、該移動局に対して、前記データ系列の有効期間を通知してもよい。
【００１６】
本発明の第１の特徴において、前記移動局が、ネットワークに対して登録処理を行う際に、前記無線基地局が、該移動局に対して、前記データ系列の有効期間を通知してもよい。
【００１７】
本発明の第１の特徴において、前記データ系列の有効期間は、前記コマンドを受信しなかった場合のデータ系列の最大再送回数によって規定されてもよい。
【００１８】
本発明の第１の特徴において、新たなデータ系列は、解放されたデータ系列と同じデータ系列であってもよい。
【００１９】
本発明の第１の特徴において、前記データ系列は、ランダムアクセスチャネル用のプリアンブルであり、前記移動局は、前記上り同期要求の受信に成功した場合、ランダムアクセスチャネルを用いて、前記上り同期要求により指定されている前記プリアンブルを前記無線基地局に対して通知してもよい。
【００２０】
本発明の第２の特徴は、間欠受信状態において、下りユーザデータの連続受信を再開するように構成されている移動局であって、無線基地局によって送信された上り同期要求の受信に成功した場合、該上り同期要求により指定されるデータ系列を該無線基地局に対して通知し、前記無線基地局によって送信された上りリンクにおける送信タイミングを調整するためのコマンドの受信に失敗した場合、前記データ系列を該無線基地局に対して通知し、前記データ系列の有効期間が経過した場合、前記データ系列を解放するように構成されていることを要旨とする。
【００２１】
本発明の第２の特徴において、前記データ系列の有効期間が経過する前であっても、所定回数、前記下りユーザデータに対するＨＡＲＱプロセスにおける送達確認情報を送信された場合、前記データ系列を解放するように構成されていてもよい。
【００２２】
本発明の第２の特徴において、前記データ系列の有効期間が経過する前であっても、上りリンクにおける送信タイミングを調整するためのコマンドを受信した場合、前記プリアンブルを解放するように構成されていてもよい。
【００２３】
本発明の第２の特徴において、前記データ系列は、ランダムアクセスチャネル用のプリアンブルであり、前記無線基地局によって送信された上り同期要求の受信に成功した場合、ランダムアクセスチャネルを用いて、該上り同期要求により指定されている前記プリアンブルを該無線基地局に対して通知するように構成されていてもよい。
【００２４】
本発明の第３の特徴は、間欠受信状態の移動局に対する下りユーザデータの送信を再開ように構成されている無線基地局であって、前記移動局に対して、ランダムアクセスチャネル用のデータ系列を割り当て、前記移動局に対して割り当てた前記データ系列を指定する上り同期要求を送信し、前記移動局から前記データ系列を受信した場合、上りリンクにおける送信タイミングを調整するためのコマンドを生成して該移動局に対して送信し、前記コマンドを送信してから一定期間経過後までに、前記移動局から前記データ系列を受信しなかった場合、該移動局に対して下りユーザデータの送信を再開し、前記コマンドを送信してから一定期間経過前に、前記移動局から前記データ系列を受信した場合、前記コマンドを生成して該移動局に対して送信し、前記データ系列の有効期間が経過した場合、前記データ系列を解放し、前記移動局に対して、新たなデータ系列を割り当てるように構成されていることを要旨とする。
【００２５】
本発明の第３の特徴において、前記データ系列の有効期間が経過する前であっても、所定回数、前記下りデータに対するＨＡＲＱプロセスにおける送達確認情報が検出された場合、前記データ系列を解放するように構成されていてもよい。
【００２６】
本発明の第３の特徴において、新たなデータ系列は、解放されたデータ系列と同じデータ系列であってもよい。
【００２７】
本発明の第３の特徴において、前記データ系列は、ランダムアクセスチャネル用のプリアンブルであってもよい。
【００２８】
以上説明したように、本発明によれば、間欠受信状態の移動局に対する下りユーザデータの送信を再開手順において、ＲＡＣＨ用の個別プリアンブルの解放方法を規定することによって、移動局に割り当て可能な個別プリアンブルの枯渇を抑制することができる送信再開方法、移動局及び無線基地局を提供することができる。
【図面の簡単な説明】
【００２９】
【図１】図１は、従来技術に係る移動通信システムにおけるＤＲＸ状態からの再開手順の問題点を説明するための図である。
【図２】図２は、本発明の第１の実施形態に係る無線基地局及び移動局の機能ブロック図である。
【図３】図３は、本発明の第１の実施形態に係る無線基地局の動作を示すフローチャートである。
【図４】図４は、本発明の第１の実施形態に係る移動局の動作を示すフローチャートである。
【図５】図５は、本発明の第１の実施形態に係る移動通信システムにおけるＤＲＸ状態からの再開手順を説明するための図である。
【図６】図６は、本発明の第１の実施形態に係る無線基地局の動作を示すフローチャートである。
【図７】図７は、本発明の第１の実施形態に係る移動通信システムにおけるＤＲＸ状態からの再開手順を説明するための図である。
【発明を実施するための最良の形態】
【００３０】
（本発明の第１の実施形態に係る移動通信システムの構成）
図２を参照して、本発明の第１の実施形態に係る移動通信システムの構成について説明する。本実施形態では、ＬＴＥによって規定される無線アクセス方式を用いる移動通信システムを例として説明するが、本発明は、これに限定されるものではなく、その他の無線アクセス方式を用いた移動通信システムにも適用可能である。【００３１】
図２に示すように、本実施形態に係る移動通信システムは、無線基地局ｅＮＢと、移動局ＵＥとを具備している。また、移動通信システムは、移動局ＵＥの受信状態がＤＲＸ状態（間欠受信状態）から連続受信状態に移行する場合に、上りリンクにおける同期を確立するように構成されている。【００３２】
無線基地局ｅＮＢは、Ｌ１/Ｌ２制御情報生成部１１と、ＭＡＣ制御部１２と、送信部１７と、受信部１８とを具備している。【００３３】
Ｌ１/Ｌ２制御情報生成部１１は、Ｌ１/Ｌ２制御情報を生成するように構成されている。【００３４】
例えば、Ｌ１/Ｌ２制御情報として、移動局ＵＥに対して割り当てた下りデータの送信用の無線リソースを通知するための無線リソース通知用制御情報が挙げられる。【００３５】
かかる無線リソース通知用制御情報には、ランダムアクセスに対する応答に対して割り当てられている共通識別子（ＲＡ-ＲＮＴＩ：Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）ではなく、セル内の移動局ＵＥを個別に識別する識別子（Ｃ-ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｆｉｅｒ）が含まれている。すなわち、本実施形態では、上述の無線リソースの割り当ては、ＲＡ-ＲＮＴＩではなく、Ｃ-ＲＮＴＩを用いて行われる。【００３６】
また、本実施形態では、下りデータは、ＭＡＣ-ＰＤＵに対応するものとし、ＤＣＣＨやＤＴＣＨ等によって送信される下りユーザデータや、ＴＡコマンドや上り同期要求等を含むものとする。【００３７】
ＭＡＣ制御部１２は、ＨＡＲＱ管理部１３と、ＲＡＣＨ管理部１４と、送信タイミング管理部１５と、ＭＡＣ-ＰＤＵ生成部１６と、スケジューラ１６ａとを具備している。【００３８】
ＨＡＲＱ管理部１３は、ＨＡＲＱプロセスの送達確認情報（ＡＣＫ/ＮＡＣＫ）に基づく再送制御を行うように構成されている。【００３９】
ＲＡＣＨ管理部１４は、移動局ＵＥに対して、非同期ＲＡＣＨによって送信すべき個別プリアンブル（各移動局ＵＥに対して個別に割り当てられた該移動局を識別するためのデータ系列）を割り当てるように構成されている。また、ＲＡＣＨ管理部１４は、移動局ＵＥから送信された非同期ＲＡＣＨに含まれる個別プリアンブルを識別するように構成されている。【００４０】
また、ＲＡＣＨ管理部１４は、移動局ＵＥに対して割り当てた個別プリアンブルの有効期間を設定するように構成されていてもよい。ここで、有効期間は、無線基地局ｅＮＢによって上り同期要求又はＴＡコマンドが送信されてからの期間によって規定されてもよいし、ＴＡコマンドを受信しない場合の個別プリアンブルの最大再送回数によって規定されていてもよい。【００４１】
また、ＲＡＣＨ管理部１４は、移動局ＵＥに対して割り当てた個別プリアンブルの有効期間が経過した場合に、かかる個別プリアンブルを解放し、当該移動局ＵＥに対して、新たな個別プリアンブルを割り当てるように構成されている。なお、ＲＡＣＨ管理部１４は、上り同期要求又はＴＡコマンドの送信時に起動したタイマーが満了した場合（有効期間が経過した場合）、かかる個別プリアンブルを解放するように構成されていてもよい。また、ＲＡＣＨ管理部１４は、個別プリアンブルの再送回数が、最大再送回数に達した場合（有効期間が経過した場合）、かかる個別プリアンブルを解放するように構成されてもよい。また、ＲＡＣＨ管理部１４は、タイマーが満了するまでの期間と、送信回数が最大再送回数に達するまでの期間との内、いずれか一方の期間が先に経過した場合に、かかる個別プリアンブルを解放するように構成されてもよい。さらに、ＲＡＣＨ管理部１４は、タイマーが満了するまでの期間と、送信回数が最大再送回数に達するまでの期間との両方が経過した場合に、かかる個別プリアンブルを解放するように構成されてもよい。【００４２】
ここで、新たな個別プリアンブルは、解放された個別プリアンブルと同じものを割り当てるように構成されていてもよいし、異なるプリアンブルを割り当てるように構成されてもよい。【００４３】
送信タイミング管理部１５は、送信部１７によって上り同期要求が送信された後、ＲＡＣＨ受信タイマ（Ｌ１再送）が満了する前に、移動局ＵＥから個別プリアンブルを受信した場合、移動局ＵＥから通知された個別プリアンブルの受信タイミングに応じて、上りリンクにおける送信タイミングを調整するためのＴＡコマンドを生成するように構成されている。【００４４】
ここで、上りリンクにおける送信タイミングには、上り制御チャネルや上りデータチャネルにおける送信タイミングが含まれる。【００４５】
ＭＡＣ-ＰＤＵ生成部１６は、ＨＡＲＱ管理部１３とＲＡＣＨ管理部１４と送信タイミング管理部１５とからの指示等に応じて、スケジューラ１６ａによって送信機会が割り当てられた無線サブフレームにおいて、ＭＡＣ-ＰＤＵ（下りデータ）を生成するように構成されている。【００４６】
具体的には、ＭＡＣ-ＰＤＵ生成部１６は、ＨＡＲＱ管理部１３からの再送制御指示に応じて、再送すべき下りユーザデータを含むＭＡＣ-ＰＤＵを生成するように構成されている。【００４７】
また、ＭＡＣ-ＰＤＵ生成部１６は、ＲＡＣＨ管理部１４によって割り当てられた移動局ＵＥ用の個別プリアンブルを指定する上り同期要求を含むＭＡＣ-ＰＤＵを生成するように構成されている。【００４８】
ここで、上り同期要求は、移動局ＵＥ用の個別プリアンブル自身を含むことによって、かかる移動局ＵＥ用の個別プリアンブルを指定してもよいし、移動局ＵＥ用の個別プリアンブル自身を含む代わりに、かかる移動局ＵＥ用の個別プリアンブルを識別する識別子を含むことによって、かかる移動局ＵＥ用の個別プリアンブルを指定してもよい。【００４９】
なお、かかる上り同期要求は、かかる移動局ＵＥ用の個別プリアンブルを指定すると共に、ＲＡＣＨ管理部１４によって割り当てられた当該個別プリアンブルの有効期間を指定するように構成されていてもよい。【００５０】
また、ＭＡＣ-ＰＤＵ生成部１６は、ＲＡＣＨ管理部１４によって、移動局ＵＥに対して新たに移動局ＵＥ用の個別プリアンブルが割り当てられた場合、当該個別プリアンブルを指定する上り同期要求を含むＭＡＣ-ＰＤＵを生成するように構成されている。【００５１】
さらに、ＭＡＣ-ＰＤＵ生成部１６は、送信タイミング管理部１５によって生成されたＴＡコマンドを含むＭＡＣ-ＰＤＵを生成するように構成されている。【００５２】
送信部１７は、Ｌ１/Ｌ２制御チャネル（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を用いて、Ｌ１/Ｌ２制御情報を送信し、下りデータチャネル（例えば、ＤＬ-ＳＣＨ）を用いて、下りユーザデータや上り同期要求やＴＡコマンド等を含むＭＡＣ-ＰＤＵを送信するように構成されている。【００５３】
例えば、送信部１７は、Ｌ１/Ｌ２制御チャネルを介して送信される無線リソース通知用制御情報を用いて、移動局ＵＥに対して割り当てられた下りデータの送信用の無線リソースを通知するように構成されている。【００５４】
また、送信部１７は、報知チャネル（例えば、ＢＣＨ：Ｂｒｏａｄｃａｓｔ  Ｃｈａｎｎｅｌ）を用いて、特定のエリアに在圏する移動局ＵＥに対して、ＲＡＣＨ管理部１４によって割り当てられた個別プリアンブルの有効期間を通知するように構成されていてもよい。【００５５】
また、送信部１７は、移動局ＵＥによるＲＲＣ（Ｒａｄｉｏ  Ｒｅｓｏｕｒｃｅ  Ｃｏｎｔｒｏｌ）コネクションの設定時に、移動局ＵＥに対して、個別に、ＲＡＣＨ管理部１４によって割り当てられた個別プリアンブルの有効期間を通知するように構成されていてもよい。【００５６】
また、送信部１７は、移動局ＵＥが通信を行っている場合、随時、移動局ＵＥに対して、個別に、ＲＡＣＨ管理部１４によって割り当てられた個別プリアンブルの有効期間を通知するように構成されていてもよい。【００５７】
受信部１８は、非同期ＲＡＣＨを介して、移動局ＵＥ用の個別プリアンブルを受信し、上りチャネル（例えば、ＰＵＣＣＨ：Ｐｈｙｓｉｃａｌ  Ｕｐｌｉｎｋ  Ｃｏｎｔｒｏｌ  Ｃｈａｎｎｅｌ、或いは、ＰＵＳＣＨ:Ｐｈｙｓｉｃａｌ  Ｕｐｌｉｎｋ  Ｓｈａｒｅｄ  Ｃｈａｎｎｅｌ）を介して、ＨＡＲＱプロセスにおける送達確認情報を受信するように構成されている。【００５８】
移動局ＵＥは、受信部３１と、Ｌ１/Ｌ２制御情報処理部３２と、ＭＡＣ制御部３３と、送信部３８とを具備している。ここで、Ｌ１/Ｌ２制御情報処理部３２及びＭＡＣ制御部３３は、移動局ＵＥに搭載されるチップによって実現されるものであってもよい。【００５９】
受信部３１は、Ｌ１/Ｌ２制御チャネルを介して、Ｌ１/Ｌ２制御情報を受信し、下りデータチャネルを用いて、下りユーザデータや上り同期要求やＴＡコマンド等を含むＭＡＣ-ＰＤＵ受信するように構成されている。【００６０】
また、受信部３１は、無線基地局ｅＮＢによって通知された個別プリアンブルの有効期間を受信して、ＲＡＣＨ送信管理部３６に通知するように構成されている。【００６１】
Ｌ１/Ｌ２制御情報処理部３２は、受信したＬ１/Ｌ２制御情報に応じて、所定のＬ１/Ｌ２制御処理を行うように構成されている。【００６２】
ＭＡＣ制御部３３は、ＭＡＣ-ＰＤＵ解析部３４と、ＨＡＲＱ送信管理部３５と、ＲＡＣＨ送信管理部３６と、送信タイミング制御部３７とを具備している。【００６３】
ＭＡＣ-ＰＤＵ解析部３４は、受信したＭＡＣ-ＰＤＵを解析するように構成されている。【００６４】
ＨＡＲＱ送信管理部３５は、ＭＡＣ-ＰＤＵ解析部３４によるＭＡＣ-ＰＤＵの解析結果に応じて、ＨＡＲＱプロセスにおける送達確認情報（ＡＣＫ/ＮＡＣＫ）の送信を管理するように構成されている。【００６５】
なお、ＨＡＲＱ送信管理部３５は、ＴＡコマンドを含むＭＡＣ-ＰＤＵに対して、ＨＡＲＱプロセスにおける送達確認情報を送信してもよいし、送信しなくてもよい。【００６６】
ＲＡＣＨ送信管理部３６は、ＭＡＣ-ＰＤＵ解析部３４によるＭＡＣ-ＰＤＵの解析結果に応じて、非同期ＲＡＣＨの送信を管理するように構成されている。【００６７】
具体的には、ＲＡＣＨ送信管理部３６は、無線基地局ｅＮＢからの上り同期要求が受信された場合、当該上り同期要求により指定されている個別プリアンブルを、非同期ＲＡＣＨを用いて送信するように送信部３８に対して指示する。【００６８】
また、ＲＡＣＨ送信管理部３６は、所定期間、無線基地局ｅＮＢからのＴＡコマンドが受信されなかった場合、当該上り同期要求により指定されている個別プリアンブルを、非同期ＲＡＣＨを用いて、再度、送信するように送信部３８に対して指示する。【００６９】
また、ＲＡＣＨ送信管理部３６は、移動局ＵＥに対して割り当てられた個別プリアンブルの有効期間が経過した場合に、かかる個別プリアンブルを解放するように構成されている。なお、ＲＡＣＨ送信管理部３６は、個別プリアンブルの送信時に起動したタイマーが満了した場合（有効期間が経過した場合）、かかる個別プリアンブルを解放するように構成されていてもよい。また、ＲＡＣＨ送信管理部３６は、個別プリアンブルの再送回数が、最大再送回数に達した場合（有効期間が経過した場合）、かかる個別プリアンブルを解放するように構成されてもよい。また、ＲＡＣＨ送信管理部３６は、タイマーが満了するまでの期間と、再送回数が最大再送回数に達するまでの期間との内、いずれか一方の期間が先に経過した場合に、かかる個別プリアンブルを解放するように構成されてもよい。更に、ＲＡＣＨ送信管理部３６は、タイマーが満了するまでの期間と、再送回数が最大再送回数に達するまでの期間との両方が経過した場合に、かかる個別プリアンブルを解放するように構成されてもよい。【００７０】
また、ＲＡＣＨ送信管理部３６は、かかる個別プリアンブルの有効期間が経過する前であっても、無線基地局に対して、所定回数（図６の場合、Ｎ）、下りデータに対するＨＡＲＱプロセスにおける送達確認情報（ＡＣＫ/ＮＡＣＫ）を送信した場合、かかる個別プリアンブルを解放するように構成されていてもよい。【００７１】
また、ＲＡＣＨ送信管理部３６は、かかる個別プリアンブルの有効期間が経過する前であっても、無線基地局ｅＮＢからのＴＡコマンドを受信した場合、かかる個別プリアンブルを解放するように構成されていてもよい。【００７２】
なお、ＲＡＣＨ送信管理部３６は、かかる有効期間として、上述のように、無線基地局ｅＮＢによって通知された有効期間を用いてもよいし、予め決められている有効期間を用いてもよい。【００７３】
送信タイミング制御部３７は、ＭＡＣ-ＰＤＵ解析部３４によるＭＡＣ-ＰＤＵの解析結果に応じて、上りリンクにおける送信タイミング（上りデータチャネルや上り制御チャネル等の上りチャネルの送信タイミング）を制御するように構成されている。【００７４】
具体的には、送信タイミング制御部３７は、無線基地局ｅＮＢによって送信されたＴＡコマンド等に応じて、上りリンクにおける送信タイミングを制御することによって、上りリンクにおける同期を確立するように構成されている。【００７５】
送信部３８は、ＨＡＲＱ送信管理部３５とＲＡＣＨ送信管理部３６と送信タイミング制御部３７とからの指示に応じて、非同期ＲＡＣＨを介して、移動局ＵＥ用の個別プリアンブルを送信し、上りチャネル（例えば、ＰＵＣＣＨ或いはＰＵＳＣＨ）を介して、ＨＡＲＱプロセスにおける送達確認情報（ＡＣＫ/ＮＡＣＫ）を送信するように構成されている。【００７６】
（本発明の第１の実施形態に係る移動通信システムの動作）
図３乃至図７を参照して、本発明の第１の実施形態に係る移動通信システムの動作について説明する。【００７７】
第１に、図３を参照して、下りユーザデータの送信が再開されるまでの本実施形態に係る無線基地局ｅＮＢの動作について説明する。【００７８】
図３に示すように、ステップＳ１０１において、移動局ＵＥに対して送信すべき下りユーザデータが発生すると、無線基地局ｅＮＢが、移動局ＵＥに対して、下りデータの送信用の無線リソース及び個別プリアンブルを割り当て、割り当てた下りデータの送信用の無線リソース（下りデータチャネル）を用いて、当該個別プリアンブル及び当該個別プリアンブルの有効期間を含む上り同期要求を送信する。【００７９】
ステップＳ１０２において、当該個別プリアンブルの有効期間が経過していないと判断された場合、無線基地局ｅＮＢは、ステップＳ１０４において、移動局ＵＥから、上述の上り同期要求に対する個別プリアンブルを受信したか否かについて判定する。【００８０】
一方、ステップＳ１０２において、当該個別プリアンブルの有効期間が経過していると判定された場合、無線基地局ｅＮＢは、ステップＳ１０３において、かかる個別プリアンブルを解放して、ステップＳ１０１において、当該移動局ＵＥに対して、新たな個別プリアンブルを割り当てる。【００８１】
ステップＳ１０４において、上述の個別プリアンブルが受信されたと判定された場合、ステップＳ１０５において、無線基地局ｅＮＢは、移動局ＵＥに対して、ＴＡコマンドを送信する。【００８２】
一方、ステップＳ１０４において、上述の個別プリアンブルが受信されなかったと判定された場合、本動作は、ステップＳ１０２に戻る。【００８３】
ステップＳ１０６において、当該個別プリアンブルの有効期間が経過していないと判断された場合、無線基地局ｅＮＢは、ステップＳ１０７において、移動局ＵＥから、送信再開判定用タイマが満了する前に、上述のＴＡコマンドに対する個別プリアンブルを受信したか否かについて判定する。【００８４】
一方、ステップＳ１０６において、当該個別プリアンブルの有効期間が経過していると判定された場合、無線基地局ｅＮＢは、ステップＳ１０３において、かかる個別プリアンブルを解放して、ステップＳ１０１において、当該移動局ＵＥに対して、新たな個別プリアンブルを割り当てる。【００８５】
ステップＳ１０７において、上述の個別プリアンブルが受信されなかったと判定された場合、ステップＳ１０８において、無線基地局ｅＮＢは、移動局ＵＥとの間で上りリンクにおける同期が確立したと判断して、移動局ＵＥに対する下りデータの送信を再開する。【００８６】
一方、上述の個別プリアンブルが受信されたと判定された場合、本動作は、ステップＳ１０５に戻る。【００８７】
第２に、図４を参照して、下りユーザデータの送信が再開されるまでの本実施形態に係る移動局ＵＥの動作について説明する。【００８８】
図４に示すように、ステップＳ２０１において、間欠受信状態である移動局ＵＥは、間欠受信における受信タイミング（ＤＲＸ周期）で、無線基地局ｅＮＢから送信された上り同期要求を受信する。【００８９】
ステップＳ２０２において、移動局ＵＥは、受信した上り同期要求に含まれる移動局ＵＥ用の個別プリアンブルを、無線基地局ｅＮＢに対して送信する。【００９０】
ステップＳ２０３において、当該個別プリアンブルの有効期間が経過していないと判断された場合、移動局ＵＥは、ステップＳ２０５において、無線基地局ｅＮＢから、所定期間が経過するまでに、ＴＡコマンドを受信したか否かについて判定する。【００９１】
一方、ステップＳ２０３において、当該個別プリアンブルの有効期間が経過していると判定された場合、無線基地局ｅＮＢは、ステップＳ２０４において、かかる個別プリアンブルを解放して、ステップＳ２０１において、当該移動局ＵＥに対して、新たな個別プリアンブルを割り当てる。【００９２】
ステップＳ２０５において、上述のＴＡコマンドが受信されたと判定された場合、ステップＳ２０６において、移動局ＵＥは、無線基地局ｅＮＢとの間で上りリンクにおける同期が確立したと判断する。【００９３】
一方、上述のＴＡコマンドが受信されなかったと判定された場合、本動作は、ステップＳ２０２に戻る。【００９４】
したがって、図５に示すように、本実施形態に係る移動通信システムでは、移動局ＵＥが、無線基地局ｅＮＢから送信されたＴＡコマンドの受信に失敗した場合に、移動局ＵＥ用の個別プリアンブルの有効期間Ｔが満了するまで、当該個別プリアンブルを送信することによって、無線基地局ｅＮＢに対して、ＴＡコマンドの再送を促すことができる。【００９５】
第３に、図６を参照して、下りユーザデータの送信が再開された後の本実施形態に係る無線基地局ｅＮＢの動作について説明する。【００９６】
図６に示すように、無線基地局ｅＮＢは、ステップＳ３０１において、個別プリアンブルの有効期間が経過しているか否かについて判定し、当該有効期間が経過していないと判定された場合、ステップＳ３０２において、移動局ＵＥから受信したＨＡＲＱプロセスにおける送達確認情報（ＡＣＫ/ＮＡＣＫ）が、所定回数Ｎ以上となっているか否かについて判定する。【００９７】
一方、当該有効期間が経過していると判定された場合、無線基地局ｅＮＢは、ステップＳ３０４において、かかる個別プリアンブルを解放する。【００９８】
また、ステップＳ３０２において、所定回数Ｎ以上となっていると判定された場合、無線基地局ｅＮＢは、ステップＳ３０４において、かかる個別プリアンブルを解放する。【００９９】
一方、ステップＳ３０２において、所定回数Ｎ以上となっていないと判定された場合、本動作は、ステップＳ３０１に戻る。【０１００】
したがって、図７に示すように、本実施形態に係る移動通信システムでは、移動局ＵＥ用の個別プリアンブルの有効期間Ｔが経過していない場合であっても、無線基地局ｅＮＢから移動局ＵＥに対してＤＬ-ＳＣＨを介して送信された下りユーザデータの送信が、所定回数Ｎだけ成功した場合、すなわち、無線基地局ｅＮＢにおいて、所定回数Ｎだけ、下りユーザデータに対するＨＡＲＱプロセスにおける送達確認情報（ＡＣＫ/ＮＡＣＫ）が検出された場合、移動局ＵＥと無線基地局ｅＮＢとの間で上りリンクにおける同期が確立しているため、もはや移動局ＵＥ用の個別プリアンブルを維持しておく必要性が無く、早急に、かかる個別プリアンブルを解放することができる。【０１０１】
（本発明の第１の実施形態に係る移動通信システムの作用・効果）
本発明の第１の実施形態に係る移動通信システムによれば、ＲＡＣＨ用の個別プリアンブルの解放方法を規定することによって、移動局ＵＥに割り当て可能な個別プリアンブルの枯渇を抑制することができる。【０１０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。【０１０３】
なお、日本国特許出願第２００７−０７７９７５号（２００７年３月２３日出願）の全内容が、参照により、本願明細書に組み込まれている。
【産業上の利用の可能性】
【０１０４】
以上説明したように、本発明に係る送信再開方法、移動局及び無線基地局は、間欠受信状態の移動局に対する下りユーザデータの送信を再開手順において、ＲＡＣＨ用の個別プリアンブルの解放方法を規定することによって、移動局に割り当て可能な個別プリアンブルの枯渇を抑制することができる送信再開方法、移動局及び無線基地局を提供することができるので、移動通信などの無線通信において有用である。
【図１】
2008123155.tif 000003
【図２】
2008123155.tif 000004
【図３】
2008123155.tif 000005
【図４】
2008123155.tif 000006
【図５】
2008123155.tif 000007
【図６】
2008123155.tif 000008
【図７】
2008123155.tif 000009
【手続補正書】
【提出日】平成22年2月24日(2010.2.24)
【手続補正１】
【補正対象書類名】明細書
【補正対象項目名】００９６
【補正方法】変更
【補正の内容】
【００９６】
図６に示すように、無線基地局ｅＮＢは、ステップＳ３０１において、個別プリアンブルの有効期間が経過しているか否かについて判定し、当該有効期間が経過していないと判定された場合、ステップＳ３０３において、移動局ＵＥから受信したＨＡＲＱプロセスにおける送達確認情報（ＡＣＫ/ＮＡＣＫ）が、所定回数Ｎ以上となっているか否かについて判定する。
【手続補正２】
【補正対象書類名】明細書
【補正対象項目名】００９８
【補正方法】変更
【補正の内容】
【００９８】
また、ステップＳ３０３において、所定回数Ｎ以上となっていると判定された場合、無線基地局ｅＮＢは、ステップＳ３０４において、かかる個別プリアンブルを解放する。
【手続補正３】
【補正対象書類名】明細書
【補正対象項目名】００９９
【補正方法】変更
【補正の内容】
【００９９】
一方、ステップＳ３０３において、所定回数Ｎ以上となっていないと判定された場合、本動作は、ステップＳ３０１に戻る。
【手続補正４】
【補正対象書類名】特許請求の範囲
【補正対象項目名】請求項１１
【補正方法】変更
【補正の内容】
【請求項１１】
前記データ系列の有効期間が経過する前であっても、上りリンクにおける送信タイミングを調整するためのコマンドを受信した場合、前記データ系列を解放するように構成されていることを特徴とする請求項９に記載の移動局。
【国際調査報告】
2008123155.tif 000010
2008123155.tif 000011